(57)【要約】  本発明は、複数の糸を複数のボビン（５）に連続的に巻取るための方法及び装置に関する。この場合、複数のボビンが、駆動される２つの巻取りスピンドル（７．１，７．２）で同時に保持され、巻き取られる。巻取りスピンドル（７．１，７．２）はそれぞれ、回転可能に支承された２つのボビンリボルバ（１０．１，１０．２）に配置されており、これらのボビンリボルバは、糸を引き取って巻取りを継続するための、駆動される２つの別の巻取りスピンドル（１１．１，１１．２）を有している。巻取り中に、糸は巻取りスピンドルに対応配置された２つの圧着ローラ（６．１，６．２）によってボビン（５）に供給され、この際に、圧着ローラ（６．１，６．２）はボビン（５）の外周面に当接している。２つの巻取りスピンドルにおけるボビン増大中に、前置接続された装置からすべての糸をできるだけ一様に引き出すことができるようにするために、本発明によれば、巻取りスピンドルの交換中に、圧着ローラ（６．１，６．２）が２つの圧着ローラを、２つの巻取りスピンドルのボビンのボビン周速度よりも高い周速度で、糸を供給するために駆動するようにした。このために、２つの圧着ローラ（６．１，６．２）が共通のローラ駆動装置によって駆動可能されるようになっており、この場合、ローラ駆動装置は、ボビンリボルバ（１０．１，１０．２）の回転駆動装置を制御する制御装置（２１）に接続されている。
2007536181.tif 000002
【特許請求の範囲】
【請求項１】
複数の糸を複数のボビンに連続的に巻取るための方法であって、複数のボビンを、駆動される２つの巻取りスピンドルで同時に保持し、巻取り、この際に複数の糸を、巻取りスピンドルに対応配置された２つの圧着ローラによって複数のボビンに供給し、ボビン完成後に巻取りスピンドルを圧着ローラから離れる方向に移動させ、別の２つの駆動される２つの巻取りスピンドルを、糸の引き渡しのために、かつ巻取り作業を続けるために、圧着ローラに供給する方法において、
２つの圧着ローラを、巻取りスピンドルの交換中に、２つの巻取りスピンドルにおけるボビンのボビン周速度よりも高い、糸をガイドするための周速度で駆動することを特徴とする、複数の糸を連続的に巻取るための方法。
【請求項２】
圧着ローラを同期的に周速度に加速する、請求項１記載の方法。
【請求項３】
圧着ローラを、ボビンの巻取り中に、ボビンと圧着ローラとの間でスリップ補償が発生するように、駆動維持する、請求項１又は２記載の方法。
【請求項４】
糸の巻取り中に圧着ローラによって生ぜしめられる、ボビンに対する当接力をほぼ一定に維持する、請求項１から３までのいずれか１項記載の方法。
【請求項５】
糸の巻取り中に圧着ローラによって生ぜしめられる、ボビンに対する当接力を所定の力のプロフィールに従って変える、請求項１から３までのいずれか１項記載の方法。
【請求項６】
ボビンスピンドルを同期的に駆動及び制御する、請求項１から５までのいずれか１項記載の方法。
【請求項７】
巻取り中に、ボビンの増大に対する変位運動を実施するために、圧着ローラを可動なホルダによって共通にガイドする、請求項１から６までのいずれか１項記載の方法。
【請求項８】
ボビンの周速度を制御するために、圧着ローラのうちの１つの周速度を検出し、この検出された周速度に応じて２つの巻取りスピンドルの駆動回転数を、検出された圧着ローラの回転速度がほぼ一定に保たれるように、一括して変える、請求項１から７までのいずれか１項記載の方法。
【請求項９】
請求項１から８までのいずれか１項記載の方法を実施するための装置であって、可動な２つのボビンリボルバ（１０．１，１０．２）を有しており、これらのボビンリボルバに、ボビン（５）の糸を同時に巻取るための複数の巻管（８）を受容するそれぞれ２つの巻取りスピンドル（７．１，７．２，１１．１，１１．２）が、片持ち式に突き出して保持されており、ボビンリボルバ（１０．１，１０．２）に対応配置された少なくとも１つの回転駆動装置（３０）を有しており、前記巻取りスピンドル（７．１，７．２，１１．１，１１．２）に対応配置された複数のスピンドル駆動装置（２３，２３．２，３１．１，３１．２）を有しており、それぞれ作業位置で保持された巻取りスピンドル（７．１，７．２，１１．１，１１．２）に対応配置された、回転可能に支承された２つの圧着ローラ（６．１，６．２）を有しており、これらの２つの圧着ローラが、巻取り中にボビン（９）の外周面に当接するようになっている形式のものにおいて、
２つの圧着ローラ（６．１，６．２）が１つのローラ駆動装置（１７）によって駆動可能であって、ローラ駆動装置（１７）が、ボビンリボルバ（１０．１，１０．２）の回転駆動装置（３０）に対応配置された制御装置（２１）に接続されていることを特徴とする、複数の糸を連続的に巻取るための装置。
【請求項１０】
ローラ駆動装置（１８）が、伝動手段（（１９）と電動機（２３）とによって形成されており、２つの圧着ローラ（６．１，６．２）は、これら２つの圧着ローラ（６．１，６．２）が同じ回転数で逆方向に駆動可能であるように、伝動手段（１９）によって互いに結合されている、請求項９記載の装置。
【請求項１１】
ローラ駆動装置（１８）が、圧着ローラ（６．１，６．２）間に対応配置された電動機（２８．１，２８．２）によって形成されており、電動機（２８．１，２８．２）が制御器（２７）によって同期的に制御可能である、請求項９記載の装置。
【請求項１２】
２つの圧着ローラ（６．１，６．２）が可動なホルダ（１３）に堅固に又は可動に結合されていて、それによって、２つの圧着ローラ（６．１，６．２）が一緒に、ボビン（９）の増大中に、巻取りスピンドル（７．１，７．２，１１．１，１１．２）に対して相対的にガイド可能である、請求項９から１１までのいずれか１項記載の装置。
【請求項１３】
ホルダ（１３）及び／又は圧着ローラ（６．１，６．２）がそれぞれ１つの制御可能な力センサ（２３）と協働する、請求項１１記載の装置。
【請求項１４】
ホルダ（１３）が、キャリッジ（１５）及びキャリッジガイド（１４．１，１４．２）によって機械フレーム（１２）に保持され、これらのキャリッジ及びキャリッジガイドによって、圧着ローラ（６．１，６．２）が一緒に、巻取りスピンドル（７．１，７．２，１１．１，１１．２）に対して相対的な変位運動を実施する、請求項１２又は１３記載の装置。
【請求項１５】
圧着ローラ（６．１，６．２）がそれぞれ２つの可動な揺動レバー（３７．１，３７．２）に保持されていて、これらの揺動レバー（３７．１，３７．２）が互いに独立して圧着ローラ（６．１，６．２）を巻取りスピンドル（７．１，７．２，１１．１，１１．２）に対して半径方向にガイドする、請求項９から１１までのいずれか１項記載の装置。
【請求項１６】
１つの圧着ローラ（６．１）に、この圧着ローラ（６．１）の回転数を検出するための回転数センサ（２０）が対応配置されており、該回転数センサ（２０）と、巻取りスピンドル（７．１，７．２，１１．１，１１．２）のスピンドル駆動装置（２３．１，２３．２，３１．１，３１．２）とが、制御装置（２１）によって１つの調整回路に接続されている、請求項９から１５までのいずれか１項記載の装置。
【発明の詳細な説明】
【技術分野】
【０００１】
本発明は、請求項１の上位概念部に記載した、複数の糸を複数のボビンに連続的に巻取るための方法、並びにこの方法を実施するための、請求項９の上位概念部に記載した装置に関する。
【０００２】
冒頭に述べた方法及び装置は、国際公開第０３／０６８６４８号パンフレットにより公知である。
【０００３】
公知の方法及び装置によれば、複数の糸が、互いに並列配置された２つの巻取り部において同時にボビンとして巻き取られる。このために、複数の巻取りスピンドルが、それぞれ１つのスピンドル駆動装置によって駆動される。各巻取りスピンドルは、それぞれ１つの圧着ローラに対応配置されており、この圧着ローラは揺動レバーを介して半径方向で可動に巻取りスピンドルに保持されている。糸をボビンに巻取る間、自由に回転する圧着ローラは、ボビンの外周面に当接する。２つの巻取りスピンドルは、それぞれ１つのボビンリボルバに片持ち式に突き出して配置されている。ボビンリボルバは、それぞれ１つの、１８０°ずらして配置された第２の巻取りスピンドルを支持している。従ってボビンリボルバを回転させることによって、ボビンは、ボビンリボルバに対応配置された２つの巻取りスピンドルに交互に巻き取られるようになっている。ボビン交換のために、それぞれ作業位置にある、満管ボビンを有する巻取りスピンドルが、ボビンリボルバを回転運動させることによって、対応配置された圧着ローラから離れる方向に移動せしめられる。それと同時に、それぞれ第２の巻取りスピンドルが、糸を引き取るために圧着ローラと接触する。
【０００４】
公知の方法及び装置においては、装置の上部構造内の公差に基づいて、並びに２つの巻取りスピンドルにおける糸の番手変化に基づいて、種々異なる直径のボビンが巻き取られる、という欠点がある。特に満管ボビンを有する巻取りスピンドルが圧着ローラと接触することなしに、糸の引き出しを行うボビン交換の段階において、特に完全に延伸されている糸において糸が弛む原因となる糸の緊張変化は避けられない。
【０００５】
これに対して本発明の課題は、冒頭に述べた形式の方法及び装置を改良して、ボビン交換中に糸の緊張が著しく変化することなしに、同時に巻き取られたすべての糸において糸の均一なドラフトが維持されるようにすることである。
【０００６】
この課題は、請求項１に記載した特徴を有する方法、及び請求項９に記載した特徴を有する装置によって解決された。
【０００７】
本発明の有利な実施態様は、従属請求項の特徴及びこれらの特徴の組み合わせてよって規定されている。
【０００８】
本発明は、例えばヨーロッパ特許公開第０３９１１０１号明細書により公知なような、１つの巻取りスピンドルにおいて複数の糸を複数のボビンに巻取る基本的な巻取り機が公知であることによって容易に推考可能なものではない。この場合、巻取り機はスピンドル駆動装置によって駆動され、圧着ローラはローラ駆動装置によって駆動される。圧着ローラの上側で糸道内における糸張力を所定のレベルに維持するために、ボビン交換段階中に圧着ローラの周速度が高められる。これによって有利な形式で、巻取りスピンドルへの糸供給に影響を及ぼすことができる。しかしながらこの場合、複数の糸を２つの巻取りスピンドルに同時に供給することは、まったく考慮されない。
【０００９】
本発明は、種々異なる巻取り直径にも拘わらず、２つの巻取りスピンドルへの糸の供給が、糸と圧着ローラとの間に調節された巻き掛け比によってほぼ規定される、という特別な利点を有している。このために２つの圧着ローラは、巻取りスピンドルの交換中に、２つの巻取りスピンドルのボビンのそれぞれのボビン周速度よりも高い、糸をガイドするための周速度で駆動される。さらに、本発明による装置は、２つの圧着ローラのためのローラ駆動装置を有しており、このローラ駆動装置は、ボビンリボルバの回転駆動装置に対応配置された制御装置に接続されている。これによって、圧着ローラの周速度を、ボビンリボルバの回転運動に関連して変化させることができる。
【００１０】
圧着ローラにおける周速度の上昇は、有利な形式で２つの圧着ローラを同期的に加速することによって得られる。このために、ローラ駆動装置は、２つの圧着ローラを互いに接続する伝動手段を有するそれぞれ１つの電動機によって形成されているか、又は共通の制御器によって制御されるそれぞれ２つの別個の電動機によって形成されている。
【００１１】
圧着ローラがボビンの巻取り中に、ボビンと圧着ローラとの間のスリップ調節が可能であるように駆動される、本発明の方法の変化実施例は、特に、巻取り運動中に発生する、ボビン直径の増大の差を補償することができる、という利点を有している。従って、圧着ローラはボビンを駆り立てるように駆動することも、また制動するように駆動することもできる。有利な形式で、圧着ローラの回転数をやや高くすると、糸の巻取りが促進される。
【００１２】
ボビン形成に影響を及ぼすためのその他の調節可能性は、請求項４及び５に記載した本発明の実施態様による方法の変化例によって得られる。このために、圧着ローラは有利な形式で、高さ調節可能なホルダに堅固に結合されているので、各巻取りスピンドルにおいてほぼ同じように組み合わされた対応配置が維持される。しかも、２つの巻取りスピンドルにおいてボビンを巻取るために、圧着ローラによって提供される当接力を簡単な手段で調節することができる。
【００１３】
しかしながら基本的に、圧着ローラを可動な手段を介してホルダに接続することも可能である。
【００１４】
作業中にできるだけ２つの巻取りスピンドルを同じ回転数で、及びひいてはボビンの同じ周速度で、駆動することができるようにするために、本発明の有利な実施態様によれば、各巻取りスピンドルがそれぞれ同期的に駆動され、かつ制御されるようになっている。
【００１５】
作業位置にある巻取りスピンドルにおける糸の巻取り中に必要な、ボビンを増大させるための変位運動は、可動なホルダを用いて圧着ローラを連行ガイドすることによって、又は２つのボビンリボルバの回転運動有利には同期的な回転運動によって実施される。ホルダを運動させるために特にキャリッジ又はキャリッジガイドが提案されており、このキャリッジ又はキャリッジガイドによって２つの圧着ローラは同期的に移動せしめられる。
【００１６】
しかしながら選択的に、圧着ローラを、旋回可能に機械フレームに直接固定されたそれぞれ２つの可動な揺動レバーで保持することも可能である。この実施態様は特に、変位運動がもっぱら２つのボビンリボルバの回転によって実施される変化実施例のための適している。
【００１７】
２つの巻取りスピンドルにおける糸の巻取り中に、糸をできるだけ一定に引き出し、かつ供給することを保証するために、ボビン周速度を調節するためのスピンドル駆動装置の調整は有利な形式で同期的に行われる。このために、有利な形式で圧着ローラのうちの１つの回転速度が検出され、ボビン周速度を調節するための調整値として用いられる。本発明のこの実施態様は、特に、ボビン巻取り中における巻取りスピンドルの駆動回転数が共通の調整回路によって制御されることを特徴としている。制御装置によって、圧着ローラのそれぞれ測定された回転速度に基づく複数の巻取りスピンドルの駆動回転数の共通の変化が、検出された圧着ローラの回転速度がほぼ一定に維持されるように実施される。この場合、調整回路に接続されていない第２の圧着ローラは、１つのセンサによって監視されている圧着ローラと同じ状態に自動的に移動せしめられる。本発明による装置の実施態様によれば、この方法の変化実施例を実施するために、１つの圧着ローラの回転速度を検出するために、この圧着ローラに対応配置された回転数センサが設けられている。この回転数センサは、制御装置によって作業位置にもたらされている巻取りスピンドルのスピンドル駆動装置に接続されて１つの調整回路を形成している。それによって、センサ信号は、有利な形式で２つのスピンドル駆動装置を制御するために用いられる。
【００１８】
以下に本発明による方法を、図面に示した本発明による装置の幾つかの実施例を用いて詳しく説明する。
【００１９】
図１乃至図４は、本発明による方法を実施するための本発明による装置の第１実施例の異なる方向から見た概略図、
図５は、図１に示した実施例の駆動思想を示す概略図、
図６は、図１に示した実施例の別の駆動思想を示す概略図、
図７は、本発明による装置の別の実施例の概略図である。
【００２０】
図１乃至図４には、本発明による巻取り装置の第１実施例を異なる方向から見た概略図が示されている。この場合、図１は、この実施例の側面図、図２は巻取りスピンドルの平面図、図３及び図４は異なる運転状態における実施例の正面図である。どの図面に関する説明であるかの指摘がなければ、以下の説明はすべての図面に当てはまる。
【００２１】
本発明による巻取り装置の実施例は、２つの巻取り部２９．１及び２９．２を有しており、これらの巻取り部２９．１，２９．２は、機械フレーム１２内に並列配置されている。この場合、巻取り部２９．１及び２９．２は、中央の左右対称平面に対して鏡面対称的に配置されている。従って、右側の巻取り部２９．１が、機械フレーム２１内に回転可能に支承されたボビンリボルバ（ボビン回転タレット）１０．１より成っている。このボビンリボルバ１０．１に、片持ち式に突き出す第１の巻取りスピンドル７．１が保持されていて、この第１の巻取りスピンドル７．１に対して１８０°ずらして、同じく片持ち式に突き出す第２の巻取りスピンドル１１．１が保持されている。図示の運転状態では、第１の巻取りスピンドル７．１が、複数の糸を巻取るための作業位置にある。第２の巻取りスピンドル１１．１は、満管のボビンを空の巻管と交換するための交換位置にある。
【００２２】
第１のボビンリボルバ１０．１に対して鏡面対称的に、第２の巻取り部２９．２に、同一の水平面に配置された第２のボビンリボルバ１０．２が機械フレーム１２内で保持されている。ボビンリボルバ１０．２は、片持ち式に突き出す巻取りスピンドル７．２と１１．２とを支持している。図示の作業位置では、巻取りスピンドル７．２が作業位置にあり、巻取りスピンドル１１．２が交換位置にある。
【００２３】
２つのボビンリボルバ１０．１，１０．２は、共通の回転駆動装置３０に連結されており、この場合、ボビンリボルバ１０．１及び１０．２は逆の回転方向で駆動可能である。回転駆動装置３０は、中央の制御装置２１に接続されている。ボビンリボルバ１０．２及び１０．２で保持された各巻取りスピンドル７．１，７．２，１１．１及び１１．２に、それぞれ１つのスピンドル駆動装置が対応配置されている。図１には、巻取り部２９．２の巻取りスピンドル７．２及び１１．２のスピンドル駆動装置２３．２及び３１．２が示されている。２つの巻取り部２９．１及び２９．２の巻取りスピンドルのスピンドル駆動装置２３．１，２３．２，３１．１及び３１．２は、図２に示されているように、中央の制御装置２１に接続されている。
【００２４】
各ボビンリボルバ１０．１，１０．２の前方には、糸道内でそれぞれ１つの圧着ローラ６．１，６．２が配置されている。この場合、複数の糸１．１をそれぞれ１つのボビンに巻取るために、巻取り部２９．１内で、圧着ローラ６．１が巻取りスピンドル７．１と協働する。糸１．１の巻取り中に、圧着ローラ６．１は、巻き取ろうとするボビン９の外周面に当接する。
【００２５】
これに対応して、糸１．２の第２の糸群を複数のボビンに巻取るために、巻取り部２９．２内で、圧着ローラ６．２が、作業位置にある巻取りスピンドル（この場合７．２）と協働する。この場合も、圧着ローラ６．２は、巻き取ろうとするボビン９の外周面に当接する。
【００２６】
圧着ローラ６．１及び６．２は、ホルダ１３に回転可能に支承されていて、ホルダ１３によって互いに堅固に結合されている。この場合、圧着ローラ６．１及び６．２には、図１に示されているように、ローラ駆動装置１７が対応配置されている。
【００２７】
ホルダ１３は、圧着ローラ６．１，６．２の前方に配置された綾振り部材４を支持している。綾振り部材４は、巻取り部２９．１と２９．２との間の糸供給部の中心平面内に配置されていて、各巻取り部２９．１及び２９．２にそれぞれ綾振り糸ガイド５．１及び５．２を有しており、これらの綾振り糸ガイドを通って、供給されてくる糸１．１及び１．２が綾振りストローク内で往復移動せしめられる。綾振り部材４は、綾振り糸ガイド５．１及び５．２をガイドするための１つ又は複数の溝を外周面に有している可逆溝付きドラムによって形成されている。
【００２８】
ホルダ１３の上側に、糸ガイド支持体３が設けられており、この糸ガイド支持体３は、トップ糸ガイド２．１及び２．２は、巻取りスピンドル７．１と７．２との間で糸供給部を形成している。この場合、糸ガイド２．１のグループは巻取り部２９．１に対応配置されていて、糸ガイド２．２のグループは巻取り部２９．２に対応配置されている。
【００２９】
ホルダ１３は、キャリッジ１５及びキャリッジガイド１４．１及び１４．２によって垂直方向で可動に機械フレーム１２に保持されている。この場合、キャリッジ１５は、力センサ３２によってキャリッジガイド１４．１及び１４．２内で、圧着ローラ６．１及び６．２がそれぞれ所定の当接力で糸１．１及び１．２の巻取り中にそれぞれのボビン９に当接するように、保持されている。力センサ３２は、この実施例では２つの負荷軽減シリンダユニット１６．１及び１６．２によって構成されており、これらの負荷軽減シリンダユニット１６．１及び１６．２によって、２つの圧着ローラ６．１及び６．２、並びにホルダ１３及び、ホルダ１３に付加的に取り付けられた構成部分（例えば綾振り部材４）の全重量が支えられている。装置の両側でキャリッジ１５に作用する負荷軽減シリンダユニット１６．１及び１６．２は、制御装置２１に接続されていて、この制御装置２１によって、負荷軽減シリンダユニット１６．１及び１６．２は、その支持作用を制御できる。これによって、巻取り中に、圧着ローラ６．１及び６．２とボビン９との間に作用する当接力は、全重量の一部によって規定される。
【００３０】
図１乃至図４に示した実施例では、巻取り部２９．１及び２９．２においてそれぞれ４本の糸が１つのボビンに巻き取られる。基本的に、同時に巻き取られる糸の数は１例である。従って、各巻取り部２９．１及び２９．２毎に１つ又は複数の糸が同時に巻き取られる。しかしながら実際には、このような形式の巻取り装置はもっぱら複数の糸を巻取るために使用される。
【００３１】
巻取りスピンドル７．１及び７．２において巻取り過程を開始するために、圧着ローラ６．１及び６．２がキャリッジ１５及び負荷軽減シリンダ６．１及び６．２によって、下の位置にガイドされる。糸群の糸１．１及び１．２が巻管にキャッチされ、予備糸が巻き取られてから、巻取り走行運動が開始される。ボビン９の巻取り中に、負荷軽減シリンダユニット１６．１及び１６．２は、所定の当接力がボビン９に作用するように、調整され、制御される。当接力は、有利な形式で、巻取りスピンドル７．１及び７．２に糸が巻き取られる間一定に保たれる。しかしながら、巻取り走行運動中に、当接力の所定の力のプロフィールを調節することも可能である。このために、例えば負荷軽減シリンダユニット１６．１及び１６．２内の負荷軽減圧力は、所定の値に調節され、センサされ、制御装置２１を介して制御される。このような形式の圧力制御によって、有利な形式でキャリッジ１５の変位運動を制御することができる。
【００３２】
糸１．１及び１．２の巻取り中にボビン９の増大に基づいて必要な変位運動は、この実施例においては基本的に、可動に保持されたキャリッジ１５によっても、また可動に保持された巻取りスピンドル７．１及び７．２によっても実施することができる。ホルダ１３に圧着ローラ６．１及び６．２を堅固に配置することによって、ボビン９の増大はキャリッジ１５の運動によって同期的に行われる。
【００３３】
ボビンリボルバ１０．１及び１０．２の回転駆動装置３０は、変位運動を有利な形式で段階的に又は連続的に実施するために駆動される。この場合、２つのボビンリボルバ１０．１及び１０．２は、伝動手段によって互いに連結されている。
【００３４】
図４には、この実施例の作業状態が示されている。この作業状態において、巻取りスピンドル７．１及び７．２は、ボビンリボルバ１０．１及び１０．２の回転駆動装置３０を作動させることによって、ボビン交換作業方向へ旋回せしめられている。この場合、満管ボビン９は、圧着ローラ６．１及び６．２との接触から解除されている。この段階において同時に、制御装置２１によって、圧着ローラ６．１及び６．２の加速がローラ駆動装置１７を介して導入される。２つの圧着ローラ６．１及び６．２は、所定の周速度で同期的に加速され、この周速度は、２つの巻取りスピンドル７．１及び７．２における、離反旋回せしめられた満管ボビンのボビン周速度よりも高い。これによって、巻取りスピンドル７．１及び７．２の満管ボビン９に供給されてくる糸のそれぞれに駆動力を及ぼす糸摩擦が生ぜしめられる。従って、圧着ローラ６．１及び６．２の周速度は、各糸の糸走行速度よりも高い。この状態は、ボビン交換中維持され、ボビンリボルバの回転運動に関連して制御される。圧着ローラ６．１及び６．２と、巻取りスピンドル１１．１及び１１．２において新たに形成しようとするボビンとが新たに接触すると直ちに、圧着ローラ６．１及び６．２は、糸の連続的な巻取りのための初期値にリセットされる。
【００３５】
本発明による巻取り装置の前記実施例の駆動思想を説明するために、以下に図５を用いて可能な実施例を説明する。見やすくするために、図５には、駆動のために必要な、巻取り部２９．１及び２９．２の装置部分が概略的に示されている。
【００３６】
図５に示した駆動思想においては、巻取りスピンドル７．１の巻取り部２９．１はスピンドル駆動装置２３．１に連結されている。スピンドル駆動装置２３．１には制御器２４．１が対応配置されており、この制御器２４．１は、上位の制御装置２１に接続されている。この場合、巻取りスピンドル７．１に巻き取られたボビン９は破線で示されている。ボビン９の外周面には圧着ローラ６．１が当接しており、この圧着ローラ６．１は同様に破線で示されている。圧着ローラ６．１はローラ端部１８．１を有している。ローラ端部１８．１には回転数センサ２０が対応配置されており、この回転数センサ２０によって圧着ローラ６．１の回転速度が検出される。回転数センサ２０は制御装置２１に接続されている。
【００３７】
圧着ローラ６．１のローラ端部１８．１は、伝動手段１９によって第２の圧着ローラ６．２のローラ端部１８．２に連結されている。この実施例では伝動手段１９は、ベルト又はチェーンによって機械的に構成されているので、２つの巻取り部の２つの圧着ローラ６．１及び６．２は同じ回転数で逆方向に回転する。伝動手段１９を駆動するために、電動機２５が駆動ホイール３３に接続されている。駆動ホイール３３は伝動手段１９に連結されている。電動機２５には制御器２７が対応配置されており、この制御器２７は制御装置２１に連結されている。これによって、制御器２７と電動機２５と駆動ホイール３３及び伝動手段１９とは、ローラ駆動装置１７を形成している。
【００３８】
ボビンリボルバ１０．１及び１０．２を駆動するために、各リボルバ軸３４．１及び３４．２は、伝動手段３５例えばチェーンによって互いに連結されている。この場合、リボルバ軸３４．１は回転駆動装置３０によって駆動される。回転駆動装置３０は所属の制御器３６によって制御され、この場合、制御器３６は中央の制御装置２１に接続されている。
【００３９】
巻取り部２９．１内では、ボビンリボルバ１０．１に保持された第２の巻取りスピンドル１１．１が、スピンドル駆動装置３１．１及び所属の制御器２４．２によって駆動される。制御器２４．３は制御装置２１に連結されている。
【００４０】
巻取り部２９．２において、糸をボビンに巻取るために、巻取りスピンドル７．２はスピンドル駆動装置２２．２によって反時計回り方向で駆動される。この場合、圧着ローラ６．２はボビンの外周面において、圧着ローラ６．１の相応の回転数で時計回り方向に回転する。圧着ローラ６．１と６．２との間の回転運動の伝達は、伝動手段１９によって行われる。２つの巻取り部２９．１及び２９．２内において糸は同期的に巻き取られるので、各巻取り部７．１及び７．２においてそれぞれ１つの同じ形のボビン９が形成される。
【００４１】
巻取り部２９．２において非作業位置で保持されている巻取りスピンドル１１．２は、スピンドル駆動装置３１．２及び所属の制御器２４．４を介して駆動される。制御器２４．４は制御装置２１に接続されている。
【００４２】
糸の一定の巻取り速度を維持するために、圧着ローラ６．１の回転速度は回転数センサ２０によって連続的に検出され、制御装置２１に送られる。制御装置２１に、圧着ローラ６．１の目標回転数がメモリーされている。圧着ローラ６．１のセンサされた実際回転速度と圧着ローラ６．１のメモリーされた目標回転速度との間の許容できないずれが検出されると直ちに、制御信号が発信され、制御器２４．１及び２４．２に送られる。制御器２４．１及び２４．２は、スピンドル駆動装置２３．１及び２３．２の駆動回転数を所望の形式で変えるようになっている。これによって、糸の全巻取り作業中にボビンの一定の周速度が調節される。この場合、スピンドル駆動装置２３．１及び２３．２は、非同期モータ又は同期モータによって形成される。
【００４３】
電動機２５によって、圧着ローラ６．１及び６．２のローラ駆動装置と巻取りスピンドル７．１及び７．２の駆動装置との間の負荷比が重ねて調節される。これによって圧着ローラ６．１及び６．２は、ボビンの外周面に駆動力も、また制動力も作用させることもできる。負荷比は、制御装置２１によって供給され、制御される。
【００４４】
巻き取られたボビンが所定の最大直径に達した場合、制御装置２１及び制御器３６を介して回転駆動装置３０が作動せしめられ、それによって、ボビンリボルバ１０．１と１０．２とは逆方向に回転せしめられ、巻取りスピンドル７．１及び７．２が満管ボビンと共に圧着ローラ６．１及び６．２から離れる方向に移動されるようになっている。それと同時に、制御装置２１及び制御器２７を介してローラ駆動装置の電動機２５は、圧着ローラ６．１及び６．２が高められた周速度に加速されるように制御される。伝動手段１９によって、２つの圧着ローラ６．１及び６．２は同期的に加速されるので、すべての糸に同じように作用する。これによって、有利な形式で、ボビン交換過程は、複数の糸を処理する場合でも、前置された処理装置又は紡糸装置に作用することなしに、行うことができる。
【００４５】
図６には、図１に示した本発明による装置の実施例のための駆動思想の別の実施例が示されている。図６に示された駆動思想は、図５に示した駆動思想の前記実施例とほぼ同じである。その点に関しては前記説明が参照される。ここでは、相違点だけについで説明する。圧着ローラ６．１及び６．２のローラ駆動装置は、２つの電動機２８．１及び２８．２と、これらの電動機に対応配置された制御器２７とによって形成されている。制御器２７は制御装置２１に接続されているので、圧着ローラ６．１及び６．２を駆動するために、各電動機２８．１，２８．２は同じ調節で駆動される。
【００４６】
また、図５による前記実施例に対して、巻取りスピンドル７．１及び７．２のスピンドル駆動装置２３．１及び２３．２はそれぞれ制御器２４．１によって制御される。この場合、スピンドル駆動装置２３．１及び２３．２は、同期モータ又は非同期モータとして構成されている。同様に、スピンドル駆動装置３１．１及び３１．２には制御器２４．２が対応配置されている。制御器２４．１及び２４．２は、制御装置２１に接続されている。
【００４７】
ボビンリボルバ１０，１及び１０．２の回転駆動装置は、２つの別個の回転駆動装置３０．１及び３０．２によって形成されており、これらの別個の回転駆動装置３０．１，３０．２は制御装置１に接続されている。
【００４８】
各駆動装置の機能及び制御は、前記実施例と同様に行われるので、それについてはその説明が参照される。
【００４９】
図７には、本発明による装置の別の実施例の概略的な正面図が示されている。図７に示した実施例は、図１に示した実施例とほぼ同じであるので、それについては前記説明が参照され、ここでは相違点についてだけ説明する。この場合、同じ機能を有する構成部材には同じ符号が付けられている。
【００５０】
前記実施例に対して、図７に示した実施例では、圧着ローラ６．１及び６．２は、２つの別個の揺動レバー３７．１及び３７．２によって旋回可能に機械フレーム１２で保持されている。揺動レバー３７．１及び３７．２には、それぞれ１つのストロークセンサ３８．１及び３８．２が対応配置されており、これらのストロークセンサによって、圧着ローラ６．１及び６．２の運動を検出する。ストロークセンサ３８．１及び３８．２は、信号ラインを介して、図示していない制御装置に接続されている。
【００５１】
圧着ローラ６．１及び６．２には、糸道内でそれぞれ別個の綾振り部材４．１及び４．２が対応配置されている。各綾振り部材４．１及び４．２は、この実施例ではウイング形綾振り部材として構成されている。この場合、各糸は、その巻取り部において逆方向に駆動されるウイングによって往復運動せしめられる。
【００５２】
ここで説明及び図示されていないすべての構成部分及び駆動部材は、前記実施例のものと同じである。
【００５３】
図示の駆動状態では、それぞれ複数のボビン９が、運転位置にある巻取りスピンドル７．１及び７．２において巻き取られる。糸１．１及び１．２の巻取り中、変位運動はボビンリボルバ１０．１及び１０．２の回転駆動装置によって実施される。このために、圧着ローラ６．１及び６．２のストローク運動が、所属のストロークセンサ３８．１及び３８．２によって検出され、制御装置に信号として送られる。圧着ローラ６．１及び６．２のうちの１つの実際値が所定の目標範囲からずれると直ちに、制御装置においてボビンリボルバ１０．１及び１０．２の回転駆動装置を作動させるための制御指令が発信される。ボビンリボルバ１０．１及び１０．２の回転運動は、圧着ローラ６．１及び６．２がその目標範囲を再び占めるまで行われる。
【００５４】
圧着ローラ６．１及び６．２の駆動は、前記実施例と同様に行われるので、ボビン交換中に２つの圧着ローラ６．１及び６．２は、巻取りスピンドル７．１及び７．２における、離反旋回せしめられた満管ボビンの各ボビン速度よりも高い、高められた周速度に加速される。
【００５５】
本発明による方法並びに本発明による装置は、特に紡糸されたばかりの糸を巻取るために適している。この場合、複数の糸は紡糸装置から又は処理装置から引き出される。特にボビン交換過程中における、糸のほぼ一定の引き出し力を保証することによって、前置接続された処理装置若しくは紡糸装置内においてすべての糸を一様に処理することができる。
【図面の簡単な説明】
【００５６】
【図１】本発明による巻取り装置の第１実施例の側面図である。
【図２】本発明による巻取り装置の第１実施例の平面図である。
【図３】本発明による巻取り装置の第１実施例の正面図である。
【図４】巻取り装置の第１実施例の、図３とは異なる運転状態における正面図である。
【図５】図１に示した実施例の駆動思想を示す概略図である。
【図６】図１に示した実施例の別の駆動思想を示す概略図である。
【図７】本発明による装置の別の実施例の概略図である。
【符号の説明】
【００５７】
１．１，１．２  糸
２．１，２．２  糸ガイド
３  糸ガイド支持体
４  綾振り部材
５．１，５．２  綾振り糸ガイド
６．１，６．２  圧着ローラ
７．１，７．２  作業位置にある巻取りスピンドル
８．１，８．２  巻管
９．１，９．２  ボビン
１０．１，１０．２  ボビンリボルバ
１１．１，１１．２  非作業位置にある巻取りスピンドル
１２  機械フレーム
１３  ホルダ
１４．１，１４．２  キャリッジガイド
１５  キャリッジ
１６．１，１６．２  負荷軽減シリンダユニット
１７  ローラ駆動装置
１８．１，１８．２  ローラ端部
１９  伝動手段
２０  回転数センサ
２１  制御装置
２３．１，２３．２  スピンドル駆動装置
２４，２４．１，２４．２  制御器
２５  電動機
２６  ベルト駆動装置
２７  制御器
２８．１，２８．２  電動機
２９．１，２９．２  巻取り部
３０  回転駆動装置
３１．１，３１．２  スピンドル駆動装置
３２  力センサ
３３  駆動ホイール
３４．１，３４．２  リボルバ軸
３５  伝動手段
３６  制御器
３７．１，３７．２  揺動レバー
３８．１，３８．２  ストロークセンサ
【図１】
2007536181.tif 000003
【図２】
2007536181.tif 000004
【図３】
2007536181.tif 000005
【図４】
2007536181.tif 000006
【図５】
2007536181.tif 000007
【図６】
2007536181.tif 000008
【図７】
2007536181.tif 000009
【国際調査報告】
2007536181.tif 000010
2007536181.tif 000011
2007536181.tif 000012
2007536181.tif 000013
2007536181.tif 000014
2007536181.tif 000015